(57)【特許請求の範囲】
【請求項１】
映像信号を第１の符号化方式の圧縮信号に圧縮符号化する第１のモードと、前記映像信号を前記第１の符号化方式と異なる第２の符号化方式の圧縮信号に圧縮符号化する第２のモードとを備え、前記第１又は第２のモードによって圧縮符号化した圧縮信号を記録媒体に記録再生する映像信号記録再生装置であり、
前記映像信号を前記第１又は第２の符号化方式の圧縮信号に圧縮符号化して出力する符号化部と、
前記符号化部で圧縮符号化した圧縮信号をこの圧縮信号の符号化方式に係る識別信号と共に前記記録媒体に記録する記録部とを備え、
前記記録部による前記圧縮信号の記録に先立ち、前記記録媒体に記録されている圧縮信号の最後尾部分の識別信号を再生し、再生された識別信号に基づき前記最後尾部分の圧縮信号が前記第１の符号化方式の圧縮信号であると判別された場合には、前記符号化部において前記第１の符号化方式による圧縮符号化を行い、再生された識別信号に基づき前記最後尾部分の圧縮信号が前記第２の符号化方式の圧縮信号であると判別された場合には、前記符号化部において前記第２の符号化方式による圧縮符号化を行うようにすると共に、前記記録媒体に記録されている圧縮信号の符号化方式に拘わらず、前記第１又は第２の符号化方式の圧縮信号を記録するようにし、前記記録媒体に記録されている圧縮信号の符号化方式と異なる符号化方式の圧縮信号を記録する際に、記録済みの圧縮信号とは異なる符号化方式の圧縮信号を記録することを示す識別信号を記録するようにしたことを特徴とする映像信号記録再生装置。
【発明の詳細な説明】
【０００１】
【発明の属する技術分野】
本発明は、複数の圧縮符号化方式で映像信号を記録再生することのできる映像信号記録再生装置に関する。
【０００２】
【従来の技術】
ディジタルの信号形態による映像信号に圧縮符号化を施し、これを磁気テープに記録再生する記録再生装置として、ＤＶ方式のカメラ一体型ビデオテープレコーダ（以下、ＤＶＣと記す）が知られている。そして、このＤＶＣには、複数の符号化モードが存在するが、現在のところの映像信号をＳＤモードで圧縮符号化する製品のみが販売されている。
【０００３】
しかし、このＳＤモードは、映像信号にフレーム内圧縮を施して記録するモードであるため、フレーム単位での編集が可能であるという利点を有するものの、圧縮率を高めるのが困難であり、結果として長時間記録に向かないという欠点もある。
【０００４】
そこで、ＳＤモードと同じフレーム内圧縮を施すものの、その圧縮率を高めたＳＤＬモードや、ＭＰＥＧ方式のフレーム間圧縮を施し、更に圧縮率を高めたＭＰＥＧモードを搭載したＤＶＣの製品化が望まれている。
【０００５】
【発明が解決しようとする課題】
ところが、ＤＶＣでは、使用できる磁気テープの種類は１種類のみであり、いずれのモードで映像信号を記録する際も、同一の磁気テープを使用することになる。従って、同一の磁気テープに複数の符号化モードの信号を混在させて記録することが可能となってしまう。そして、このように同一の磁気テープに複数のモードによる信号を混在させて記録すると、再生時に、符号化モードの切り替わり点で映像の乱れが生じて好ましくない。
【０００６】
一方、同一の磁気テープに複数の符号化モードの信号を混在して記録させないためには、記録の開始に先立ち、記録済み部分の符号化モードを確認するひつようがあり、その操作が煩雑であった。
【０００７】
本願発明は、このような問題点に鑑みなされたものであり、同一の記録媒体に複数の符号化モードで記録を行う映像信号記録再生装置における使い勝手を向上させることを目的とする。
【０００８】
【課題を解決するための手段】
以上の課題を解決するために、本発明に係る映像信号記録再生装置は、
映像信号を第１の符号化方式の圧縮信号に圧縮符号化する第１のモードと、前記映像信号を前記第１の符号化方式と異なる第２の符号化方式の圧縮信号に圧縮符号化する第２のモードとを備え、前記第１又は第２のモードによって圧縮符号化した圧縮信号を記録媒体に記録再生する映像信号記録再生装置であり、
前記映像信号を前記第１又は第２の符号化方式の圧縮信号に圧縮符号化して出力する符号化部と、
前記符号化部で圧縮符号化した圧縮信号をこの圧縮信号の符号化方式に係る識別信号と共に前記記録媒体に記録する記録部とを備え、
前記記録部による前記圧縮信号の記録に先立ち、前記記録媒体に記録されている圧縮信号の最後尾部分の識別信号を再生し、再生された識別信号に基づき前記最後尾部分の圧縮信号が前記第１の符号化方式の圧縮信号であると判別された場合には、前記符号化部において前記第１の符号化方式による圧縮符号化を行い、再生された識別信号に基づき前記最後尾部分の圧縮信号が前記第２の符号化方式の圧縮信号であると判別された場合には、前記符号化部において前記第２の符号化方式による圧縮符号化を行うようにすると共に、前記記録媒体に記録されている圧縮信号の符号化方式に拘わらず、前記第１又は第２の符号化方式の圧縮信号を記録するようにし、前記記録媒体に記録されている圧縮信号の符号化方式と異なる符号化方式の圧縮信号を記録する際に、記録済みの圧縮信号とは異なる符号化方式の圧縮信号を記録することを示す識別信号を記録するようにしたことを特徴とするものである。
【０００９】
更に、本発明に係る映像信号記録再生装置は、前記記録媒体に記録されている圧縮信号の符号化方式に拘わらず、前記第１又は第２の符号化方式の圧縮信号を記録する映像信号記録再生装置であり、
前記記録媒体に記録されている圧縮信号の符号化方式と異なる符号化方式の圧縮信号を記録する際に、記録済みの圧縮信号とは異なる符号化方式の圧縮信号を記録することを示す識別信号を記録するようにしたことを特徴とするものである。
【００１０】
【発明の実施の形態】
以下、本発明の実施の形態につき、好ましい実施例により詳細に説明する。
図１は、本発明の実施例に係る映像信号記録再生装置を説明するためのブロック図であり、１は後述する制御部５が出力する符号化制御信号に基づき、入来する映像信号を圧縮符号化すると共に、制御部５の出力に基づき記録すべきフラグ信号を生成し、圧縮信号とフラグ信号とを出力する符号化部、２は符号化部１で符号化された圧縮信号及びフラグ信号の記録及び再生を行う記録再生部、３は記録再生部２によって圧縮信号及びフラグ信号が記録され、また、再生される記録媒体である。
【００１１】
４は、記録再生部２が記録媒体３から再生したフラグ信号を検出するフラグ信号検出部、５はユーザからのユーザ設定信号又はフラグ信号検出部４における検出結果に基づいて符号化部１に符号化制御信号及びフラグ信号を出力すると共に、復号化部６に復号化制御信号を出力する制御部、６は制御部５が出力する復号化制御信号に基づき、記録再生部２からの圧縮信号に伸長等の復号化処理を施して出力する復号化部、７は復号化部６の出力する映像信号を画面表示するに際し、制御部５が必要に応じて出力する表示制御信号に基づき、映像信号に文字情報を重畳して出力する表示部である。
【００１２】
なお、符号化部１は、入来する映像信号を異なる２つの符号化モードにて圧縮符号化することができ、ここでは、映像信号を前述のＳＤモードとＭＰＥＧモードとで圧縮符号化できるよう構成されるものとする。また、復号化部６は、ＳＤモードで圧縮符号化した圧縮信号とＭＰＥＧモードで圧縮符号化した圧縮信号との両圧縮信号を復号化できるよう構成されるものとする。以上の如く、本実施例に係る映像信号記録再生装置は、符号化モードとして、ＳＤモードとＭＰＥＧモードとに対応している。
【００１３】
また、ここでは、本発明に係る映像信号記録再生装置をＤＶＣに適用した際の実施例について説明するが、これに限らず、カメラ一体型のディスクレコーダやカメラ部を備えない単なる記録再生装置にも適用可能である。そして、本発明に係る映像信号記録再生装置を映像表示用モニタを備えない装置に適用する際には、表示部７に代わり、重畳部を設け、この重畳部において、復号化部６の出力する映像信号に制御部５の出力する表示制御信号に基づく文字情報を重畳して出力すれば良い。
【００１４】
以下、本発明の実施例に係る映像信号記録再生装置の動作について説明する。図２は、本映像信号記録再生装置が備える記録モードを示す図であり、図示の如く、「自動モード」と「強制モード」と「注意モード」とがある。ここで、「自動モード」とは、ユーザが符号化モードを全く意識せずに映像信号を記録するモードであり、未記録状態の媒体に映像信号を記録する際には、初期設定であるＳＤモードによる圧縮信号を記録し、何らかの映像信号が既に記録されている記録済み媒体に映像信号を追加記録する際には、後述する如く、検出されたフラグ信号に応じた符号化モードによる圧縮信号を記録するモードである。
【００１５】
また、「強制モード」とは、ユーザが直接符号化モードを選択して映像信号を記録するモードであり、この「強制モード」で記録を行った場合、異なる符号化モードで記録した圧縮信号が記録媒体上で混在してしまう可能性がある。また、「注意モード」とは、「強制モード」と同様にユーザが直接符号化モードを選択して映像信号を記録するモードであるが、記録媒体上に既に記録されている圧縮信号の符号化モードと異なる符号化モードをユーザが選択した場合に注意を促すメッセージを表示させるモードである。
【００１６】
また、フラグ信号としては、図３に示す如く、その記録媒体３にＳＤモードの圧縮信号のみが記録されていることを示す「００」と、ＭＰＥＧモードの圧縮信号のみが記録されていることを示す「０１」と、ＳＤモードとＭＰＥＧモードとの圧縮信号が混在で記録されていることを示す「１０」と、何れの記録モードで記録されているか不明であることを示す「１１」とがあり、圧縮信号を記録する際には、圧縮信号と共にこれらのフラグ信号を記録する。
【００１７】
ここでは、まず、ユーザが記録モードとして「自動モード」を選択した際の動作について説明する。図４は、「自動モード」における動作を説明するための流れ図であり、ユーザが「自動モード」を選択し、録画スタンバイの指示を行うと（Ｓ１００）、図示しない記録媒体動作制御機構が記録媒体３を制御することにより、記録媒体３の記録済み終端を検出する（Ｓ１０１）。
【００１８】
つまり、図５の▲１▼で示す如く、記録媒体の記録済部分と未記録部分との境界が検出される。そして、この境界▲１▼が検出された場合には、この記録媒体３を記録済み媒体とみなす一方、検出されない場合には、未記録媒体とみなす（Ｓ１０２）。
【００１９】
そして、記録媒体３が記録済み媒体である場合には、記録媒体３を制御し、記録済部分の最後尾部分におけるフラグ信号を再生する（Ｓ１０３）。なお、記録媒体３が磁気テープのようなテープ状記録媒体の場合には、巻き戻しが必要となるため、図５の▲２▼で示す如く位置まで記録媒体３を巻き戻した後に再生を行う。
【００２０】
そして、再生されたフラグ信号をフラグ検出部４で検出し（Ｓ１０４）、フラグ信号が「０１」、つまりその記録媒体３にＭＰＥＧモードの圧縮信号のみが記録されている場合は、符号化部１における符号化モードをＭＰＥＧモードとするような符号化制御信号を出力し（Ｓ１０５）、フラグ信号が「００」、「１０」、「１１」の何れかの場合は、符号化部１における符号化モードをＳＤモードとするような符号化制御信号を出力する（Ｓ１０６）。なお、Ｓ１０２において、境界▲１▼が検出されなかった場合も同様に、制御部５は、符号化部１における符号化モードをＳＤモードとするような符号化制御信号を出力する。
【００２１】
そして、このように符号化モードが決定されると、図５の境界▲１▼の位置で録画ポーズとなるよう再び記録媒体３を制御し（Ｓ１０７）、ユーザからの指示に基づき録画開始となる（Ｓ１０８）。その際、符号化部１は、制御部５からの符号化制御信号に応じた符号化モードで映像信号を圧縮符号化して出力する。
【００２２】
また、符号化部１は、記録媒体３が未記録の媒体である場合や記録済み媒体であっても検出されたフラグ信号が「００」である場合には、フラグ信号を「００」として出力し、検出されたフラグ信号が「０１」である場合には、フラグ信号を「０１」として出力し、検出されたフラグ信号が「１０」である場合には、フラグ信号を「１０」として出力し、検出されたフラグ信号が「１１」である場合には、フラグ信号を「１１」として出力する。そして、符号化部１がこのようにして出力する圧縮信号及びフラグ信号が記録再生部２を介して記録媒体３に記録される（Ｓ１０９）。
【００２３】
次に、ユーザが記録モードとして「強制モード」を選択した際の動作について説明する。図６は、「強制モード」における動作を説明するための流れ図であり、ユーザが「強制モード」を選択し、録画スタンバイの指示を行うと（Ｓ２００）、図示しない記録媒体動作制御機構が記録媒体３を制御することにより、記録媒体３の記録済み終端である図５で示した境界▲１▼を検出する（Ｓ２０１）。
【００２４】
そして、この境界▲１▼が検出された場合には、この記録媒体３を記録済み媒体とみなす一方、検出されない場合には、未記録媒体とみなす（Ｓ２０２）。ここで、記録媒体３が記録済み媒体である場合には、記録媒体３を制御し、記録済部分の最後尾部分におけるフラグ信号を再生する（Ｓ２０３）。
【００２５】
そして、再生されたフラグ信号をフラグ検出部４で検出するが、制御部５は、この検出されたフラグ信号とは無関係に、ユーザ設定信号に基づく符号化制御信号を符号化部１に出力する（Ｓ２０４）。つまり、ユーザがユーザ設定信号によりＳＤモードを選択した場合には、符号化部１における符号化モードをＳＤモードとするような符号化制御信号を出力し、ユーザがユーザ設定信号によりＭＰＥＧモードを選択した場合には、符号化部１における符号化モードをＭＰＥＧモードとするような符号化制御信号を出力する。なお、Ｓ２０２において境界▲１▼が検出されなかった場合には、フラグ信号の再生を行うことなく、制御部５は、ユーザ設定信号に基づく符号化制御信号を出力する。
【００２６】
そして、図５の境界▲１▼の位置で録画ポーズとなるよう再び記録媒体３を制御し（Ｓ２０５）、ユーザからの指示に基づき録画開始となる（Ｓ２０６）。その際、符号化部１は、制御部５からの符号化制御信号に応じた符号化モードで映像信号を圧縮符号化して出力する。
【００２７】
また、符号化部１は、記録媒体３が未記録の媒体である場合やフラグ信号として「００」が再生された記録媒体３にＳＤモードで記録を行う場合には、フラグ信号を「００」として出力し、記録媒体３が未記録の媒体である場合やフラグ信号として「０１」が再生された記録媒体３にＭＰＥＧモードで記録を行う場合には、フラグ信号を「０１」として出力し、フラグ信号として「１０」が再生された記録媒体３にＳＤモード又はＭＰＥＧモードで記録を行う場合には、フラグ信号を「１０」として出力し、フラグ信号として「１１」が再生された記録媒体３にＳＤモード又はＭＰＥＧモードで記録を行う場合には、フラグ信号を「１１」として出力する。そして、符号化部１がこのようにして出力する圧縮信号及びフラグ信号が記録再生部２を介して記録媒体３に記録される（Ｓ２０７）。
【００２８】
次に、ユーザが記録モードとして「注意モード」を選択した際の動作について説明する。図７は、「注意モード」における動作を説明するための流れ図であり、ユーザが「注意モード」を選択し、録画スタンバイの指示を行うと（Ｓ３００）、図示しない記録媒体動作制御機構が記録媒体３を制御することにより、記録媒体３の記録済み終端である図５で示した境界▲１▼を検出する（Ｓ３０１）。
【００２９】
そして、この境界▲１▼が検出された場合には、この記録媒体３を記録済み媒体とみなす一方、検出されない場合には、未記録媒体とみなす（Ｓ３０２）。ここで、記録媒体３が記録済み媒体である場合には、記録媒体３を制御し、記録済部分の最後尾部分におけるフラグ信号を再生する（Ｓ３０３）。
【００３０】
そして、再生されたフラグ信号をフラグ検出部４で検出し（Ｓ３０４）、検出されたフラグ信号が「００」であるにも拘わらず、ユーザ設定信号がＭＰＥＧモードである場合や、フラグ信号が「０１」であるにも拘わらず、ユーザ設定信号がＳＤモードである場合に、制御部５は、表示部７にその確認のためのメッセージを表示するよう表示部７を制御する。
【００３１】
そして、ユーザによる確認がなされると、制御部５は、ユーザ設定信号に基づく符号化制御信号を符号化部１に出力する（Ｓ３０５）。つまり、ユーザがユーザ設定信号によりＳＤモードを選択した場合には、符号化部１における符号化モードをＳＤモードとするような符号化制御信号を出力し、ユーザがユーザ設定信号によりＭＰＥＧモードを選択した場合には、符号化部１における符号化モードをＭＰＥＧモードとするような符号化制御信号を出力する。
【００３２】
一方、Ｓ３０２において境界▲１▼が検出されなかった場合には、フラグ信号の再生や、ユーザに対する確認メッセージの表示を行うことなく、制御部５は、ユーザ設定信号に基づく符号化制御信号を符号化部１に出力する（Ｓ３０６）。
【００３３】
そして、境界▲１▼の位置で録画ポーズとなるよう再び記録媒体３を制御し（Ｓ３０７）、ユーザからの指示に基づき録画開始となる（Ｓ３０６）。その際、符号化部１は、制御部５からの符号化制御信号に応じた符号化モードで映像信号を圧縮符号化して出力する。
【００３４】
また、符号化部１は、記録媒体３が未記録の媒体である場合やフラグ信号として「００」が再生された記録媒体３にＳＤモードで記録を行う場合には、フラグ信号を「００」として出力し、記録媒体３が未記録の媒体である場合やフラグ信号として「０１」が再生された記録媒体３にＭＰＥＧモードで記録を行う場合には、フラグ信号を「０１」として出力し、フラグ信号として「１０」が再生された記録媒体３にＳＤモード又はＭＰＥＧモードで記録を行う場合には、フラグ信号を「１０」として出力し、フラグ信号として「１１」が再生された記録媒体３にＳＤモード又はＭＰＥＧモードで記録を行う場合には、フラグ信号を「１１」として出力する。そして、符号化部１がこのようにして出力する圧縮信号及びフラグ信号が記録再生部２を介して記録媒体３に記録される（Ｓ３０９）。
【００３５】
一方、記録媒体３に記録されている圧縮信号の再生を行う際には、まず、記録再生部２がフラグ信号を再生し、このフラグ信号をフラグ信号検出部４で検出する。そして、検出されたフラグ信号が「００」である場合には、記録媒体３上の圧縮信号がＳＤモードによる圧縮信号であることが明らかであるため、復号化部６がＳＤモードに対応した復号化処理を行うよう復号化部６を制御し、検出されたフラグ信号が「０１」である場合には、記録媒体３上の圧縮信号がＭＰＥＧモードによる圧縮信号であることが明らかであるため、復号化部６がＳＤモードに対応した復号化処理を行うよう復号化部６を制御する。
【００３６】
しかし、検出されたフラグ信号が「１０」又は「１１」である場合には、再生する圧縮信号がＳＤモードによるものであるのか、ＭＰＥＧモードによるものであるのか、それとも、これらのモードとは異なる例えばＳＤＬモードによるものであるのか明らかでない。
【００３７】
従って、このようにフラグ信号が「１０」又は「１１」である場合、更には、フラグ信号が再生されなかった場合は、復号化部６自身が圧縮信号の符号化モードを判断するよう制御部５が復号化部６を制御する。つまり、このような場合には、フラグ信号に基づき圧縮信号の符号化モードを判別することが不可能であるため、復号化部６内に設けられる図示しない符号化モード検出手段が圧縮信号の符号化モードを判別することになる。
【００３８】
しかし、符号化モード検出手段においては、圧縮信号のデータ構造を解析することによって符号化モードを判別するため、フラグ信号に基づく符号化モードの判別のように瞬時に判別結果を確定することができず、判別結果の確定までに多少の時間を要する。
【００３９】
なお、フラグ検出部４において、「００」又は「０１」であるフラグ信号が検出されず、更に、復号化部６内の符号化モード検出手段における圧縮信号のデータ構造の解析によって、復号化処理を行うことのできない圧縮信号であると判別された場合には、制御部５は復号化処理を行えない旨のメッセージを表示部７が表示するよう制御する。
【００４０】
つまり、ＳＤＬモードの圧縮信号の如く、本実施例に係る映像信号記録再生装置では、復号化処理できない圧縮信号が記録されている場合には、このようなメッセージを表示させ、更に、復号化処理が行えない部分の圧縮信号を高速再生によって早送りさせ、復号化処理が行える箇所から再度再生させるよう記録媒体動作制御機構を制御しても良い。
【００４１】
また、以上の実施例では、符号化部１がＳＤモードとＭＰＥＧモードとの圧縮符号化処理を行えるものとして説明したが、これに限らず、ＳＤモードの圧縮符号化を行うＳＤ符号化部と、ＭＰＥＧモードの圧縮符号化を行うＭＰＥＧ符号化部とを別々に設け、制御部５の出力する符号化制御信号によりＳＤ符号化部とＭＰＥＧ符号化部とを切り換えて使用しても良い。
【００４２】
【発明の効果】
請求項１に係る発明によれば、映像信号を第１の符号化方式の圧縮信号に圧縮符号化する第１のモードと、映像信号を第１の符号化方式とは異なる第２の符号化方式の圧縮信号に圧縮符号化する第２のモードとを備える情報記録再生装置において、記録媒体に記録されている圧縮信号の最後尾部分が第１の符号化方式による圧縮信号であれば第１のモードを選択し、記録媒体に記録されている圧縮信号の最後尾部分が第２の符号化方式による圧縮信号であれば第２のモードを選択して圧縮信号を記録するため、複数の符号化方式の圧縮信号が使用者の意に反して記録媒体上で混在してしまうという事態を防止できる。
【００４３】
また、記録媒体に記録されている圧縮信号と異なる符号化方式の圧縮信号を記録する際に、そのことを示す識別信号を記録する。従って、このような圧縮信号を再生する再生装置において、識別信号を確認することにより、複数の符号化方式の圧縮信号が混在して記録されているか、単一の符号化方式の圧縮信号のみの記録であるかを直ちに判別できるという効果を奏する。
【図面の簡単な説明】
【図１】本発明の実施例に係る映像信号記録再生装置を説明するためのブロック図である。
【図２】本発明の実施例に係る映像信号記録再生装置が備える記録モードを示す図である。
【図３】フラグ信号の種別を示す図である。
【図４】自動モードにおける動作を説明するための流れ図である。
【図５】記録済部分と未記録部分との境界を示す図である。
【図６】強制モードにおける動作を説明するための流れ図である。
【図７】注意モードにおける動作を説明するための流れ図である。
【符号の説明】
１…符号化部
２…記録再生部
３…記録媒体
４…フラグ検出部
５…制御部
６…復号化部
７…表示部
【図１】
0003821361.tif 000002
【図２】
0003821361.tif 000003
【図３】
0003821361.tif 000004
【図４】
0003821361.tif 000005
【図５】
0003821361.tif 000006
【図６】
0003821361.tif 000007
【図７】
0003821361.tif 000008